(57)【要約】【課題】空気又はその他の流体の流れをリアルタイムで可視化でき、空調機の効率的な運用に適用できる流れ可視化システム及びそれを使用した空調方法を提供する。【解決手段】流れ可視化システムは、測定領域に敷設された光ファイバ１４と、光ファイバ１４に接続されて光ファイバ１４の長さ方向の温度分布を測定し温度分布のデータを出力する温度分布測定装置１０と、制御装置１９とを有する。制御装置１９は、温度分布測定装置１０から出力された温度分布のデータに基づき、測定領域内の流体の流れを可視化する。【選択図】図１
2014066495.tif 000002
【特許請求の範囲】
【請求項１】
測定領域に敷設された光ファイバと、
前記光ファイバに接続されて前記光ファイバの長さ方向の温度分布を測定し温度分布のデータを出力する温度分布測定装置と、
前記温度分布のデータに基づき、前記測定領域内の流体の流れを可視化する制御装置と
を有することを特徴とする流れ可視化システム。
【請求項２】
前記制御装置は、前記温度分布のデータから前記測定領域の２次元又は３次元温度分布図を作成し、該温度分布図に前記流体の流れの起点を設定して、前記起点から前記温度分布図を基に前記流体の流れを追跡することを特徴とする請求項１に記載の流れ可視化システム。
【請求項３】
前記制御装置は、
前記起点を中心点とする閉じた評価境界線又は閉じた評価境界面を設定し、
前記温度分布図を基に前記評価境界線の内側又は評価境界面の内側の温度を設定し、
前記評価境界線の内側又は評価境界面の内側に前記中心点を頂点とする所定の平面角又は所定の立体角を備えた複数の領域を設定し、
前記温度分布図を基に前記複数の領域の温度を設定し、
前記複数の領域のうちから前記評価境界線の内側又は前記評価境界面の内側の温度に近い温度の領域を抽出して、抽出した領域の中心から当該領域内を通過するように設定した中心線の方向を前記流体の流れ方向とすることを特徴とする請求項２に記載の流れ可視化システム。
【請求項４】
前記制御装置は、
前記評価境界線上又は前記評価境界面上と、前記中心線との交点を新中心点として閉じた新評価境界線又は閉じた新評価境界面を設定し、
前記温度分布図を基に前記新評価境界線の内側又は新評価境界面の内側の温度を設定し、
前記新評価境界線の内側又は新評価境界面の内側に前記新中心点を頂点とする所定の平面角又は所定の立体角を備えた複数の新領域を設定し、
前記温度分布図を基に前記新領域の温度を設定し、
前記複数の新領域のうちから前記新評価境界線の内側又は新評価境界面の内側の温度に近い新領域を抽出して、抽出した新領域の中心から当該領域内を通過するように設定した中心線の方向を前記流体の流れ方向に追加し前記流体の流れを追跡することを特徴とする請求項３に記載の流れ可視化システム。
【請求項５】
光ファイバが接続された温度分布測定装置により、前記光ファイバが敷設された測定領域の温度分布のデータを取得する工程と、
制御装置により、前記温度分布のデータを基に前記測定領域内の空気の流れを可視化する工程と、
前記制御装置により可視化された空気の流れに基づいて空調機を調整する工程と
を有することを特徴とする空調方法。
【発明の詳細な説明】
【技術分野】
【０００１】
本発明は、流れ可視化システム及び空調方法に関する。
【背景技術】
【０００２】
データセンター、工場及びオフィス等の施設において、パッケージ型エアコンなどの空調設備が多数使用されている。近年、省エネルギー及び二酸化炭素排出量削減等の観点から、空調設備の効率的な運用が望まれている。
【０００３】
空調設備の効率的な運用のために、空気の流れを可視化することが考えられる。空気の流れを可視化する方法には、例えば、注入脈流法、スモークワイヤ法、タフト法及びドライアイス法等がある。
【０００４】
注入脈流法では、空気の流れの中にトレーサとなる煙を連続的に注入して、空気の流れを可視化する。スモークワイヤ法では、流動パラフィンを塗布した金属細線に瞬間的に電流を流してパラフィンをミスト化する。このパラフィンのミストがトレーサとなり、空気の流れを可視化することができる。
【０００５】
タフト法では、物体の表面に多数のタフト（短い糸）を貼り付ける。それらのタフトの向きにより空気の流れを可視化することができる。ドライアイス法では、ドライアイスのミストをトレーサとして使用し、空気の流れを可視化する。
【先行技術文献】
【特許文献】
【０００６】
【特許文献１】特開２００９−２６５０７７号公報
【特許文献２】特開２００９−２６５０８３号公報
【特許文献３】特開平５−１０７１２１号公報
【発明の概要】
【発明が解決しようとする課題】
【０００７】
空気又はその他の流体の流れをリアルタイムで可視化でき、空調機の効率的な運用に適用できる流れ可視化システム及びそれを使用した空調方法を提供することを目的とする。
【課題を解決するための手段】
【０００８】
開示の技術の一観点によれば、測定領域に敷設された光ファイバと、前記光ファイバに接続されて前記光ファイバの長さ方向の温度分布を測定し温度分布のデータを出力する温度分布測定装置と、前記温度分布のデータに基づき、前記測定領域内の流体の流れを可視化する制御装置とを有する可視化システムが提供される。
【０００９】
開示の技術の他の一観点によれば、光ファイバが接続された温度分布測定装置により、前記光ファイバが敷設された測定領域の温度分布のデータを取得する工程と、制御装置により、前記温度分布のデータを基に前記測定領域内の空気の流れを可視化する工程と、前記制御装置により可視化された空気の流れに基づいて空調機を調整する工程とを有する空調方法が提供される。
【発明の効果】
【００１０】
上記一観点に係る可視化システムによれば、空気又はその他の流体の流れをリアルタイムで可視化できる。また、上記他の一観点に係る空調方法によれば、空調機を効率的に運用でき、空調機の消費電力を削減できる。
【図面の簡単な説明】
【００１１】
【図１】図１は、実施形態に係る流れ可視化システムのブロック図である。
【図２】図２は、後方散乱光のスペクトルを示す図である。
【図３】図３は、光検出器で検出されるラマン散乱光の強度の時系列分布を示す図である。
【図４】図４は、図３のラマン散乱光の強度の時系列分布を基にＩ1／Ｉ2比を時間毎に計算し、且つ図３の横軸（時間）を距離に換算し、縦軸（信号強度）を温度に換算した結果を示す図である。
【図５】図５は、温度分布の測定結果からサーモグラフィのようなカラー画像を作成する方法を説明する図である。
【図６】図６は、光ファイバの敷設例を示す図である。
【図７】図７は、実施形態に係る流れ可視化システムの動作を示すフローチャートである。
【図８】図８は、流れ可視化方法の概要を説明する図（その１）である。
【図９】図９は、流れ可視化方法の概要を説明する図（その２）である。
【図１０】図１０は、流れ可視化方法の概要を説明する図（その３）である。
【図１１】図１１は、流れ可視化方法の概要を説明する図（その４）である。
【図１２】図１２は、流れ可視化方法の概要を説明する図（その５）である。
【図１３】図１３は、データセンターの計算機室を示す図である。
【図１４】図１４は、温度分布測定装置より測定された光ファイバ長さ方向の温度分布の例を示す図である。
【図１５】図１５は、温度分布測定装置及び制御装置により作成された２次元温度分布図の一例を示す図である。
【図１６】図１６は、図１５を基に流れ方向を可視化した図である。
【図１７】図１７は、目標方向と冷気の進む方向とが一致するように空調機のフィンを調整した結果を示す図である。
【図１８】図１８は、制御装置による空調機のフィンの自動調整方法を示すフローチャートである。
【図１９】図１９は、データセンターの計算機室の一例を示す図である。
【発明を実施するための形態】
【００１２】
以下、実施形態について説明する前に、実施形態の理解を容易にするための予備的事項について説明する。
【００１３】
前述したように、空気の流れを可視化する方法には、注入脈流法、スモークワイヤ法、タフト法及びドライアイス法等がある。しかし、注入脈流法、スモークワイヤ法及びドライアイス法では、トレーサとなる煙やパラフィン及びドライアイスが必要であり、例えばデータセンター等の施設内で長時間連続して空気の流れを可視化することは困難である。また、タフト法では、多数のタフトを物体の表面に貼り付ける必要があり、広範囲の空気の流れを可視化することは困難である。
【００１４】
更に、上述した方法で空気の流れを可視化できたとしても、それをデータ化して空調機の効率的な運用に適用することは難しい。
【００１５】
以下の実施形態では、空気又はその他の流体の流れをリアルタイムで可視化でき、空調機の効率的な運用に適用できる流れ可視化システム及びそれを使用した空調方法に関する。
【００１６】
（流れ可視化システム）
図１は、実施形態に係る流れ可視化システムのブロック図である。
【００１７】
本実施形態に係る流れ可視化システムは、温度分布測定装置１０と、制御装置１９とを有する。
【００１８】
本実施形態では、光ファイバ１４をセンサとする温度分布測定装置（Distributed Temperature Sensor：ＤＴＳ）１０を使用して空気の流れを可視化する。そのため、最初に温度分布測定装置１０について説明する。
【００１９】
図１のように、温度分布測定装置１０は、レーザ光源１１と、レンズ１２ａ，１２ｂと、ビームスプリッタ１３と、波長分離部１５と、光検出器１６と、演算部１７とを有し、光ファイバ１４に接続して使用する。
【００２０】
レーザ光源１１からは、所定のパルス幅のレーザ光が一定の周期で出力される。このレーザ光は、レンズ１２ａ、ビームスプリッタ１３及びレンズ１２ｂを通って光ファイバ１４の光源側端部から光ファイバ１４内に進入する。なお、図１において、１４ａは光ファイバ１４のコアを示し、１４ｂは光ファイバ１４のクラッドを示している。
【００２１】
光ファイバ１４内に進入した光の一部は、光ファイバ１４を構成する分子により後方散乱される。後方散乱光には、図２に示すように、レイリー（Rayleigh）散乱光と、ブリルアン（Brillouin）散乱光と、ラマン（Raman）散乱光とが含まれる。レイリー散乱光は入射光と同一波長の光であり、ブリルアン散乱光及びラマン散乱光は入射波長からシフトした波長の光である。
【００２２】
ラマン散乱光には、入射光よりも長波長側にシフトしたストークス光と、入射光よりも短波長側にシフトした反ストークス光とがある。ストークス光及び反ストークス光の強度はいずれも温度により変化するが、ストークス光は温度による変化量が小さく、反ストークス光は温度による変化量が大きい。すなわち、ストークス光は温度依存性が小さく、反ストークス光は温度依存性が大きいということができる。
【００２３】
これらの後方散乱光は、図１に示すように、光ファイバ１４を戻って光源側端部から出射する。そして、レンズ１２ｂを透過し、ビームスプリッタ１３により反射されて、波長分離部１５に進入する。
【００２４】
波長分離部１５は、波長に応じて光を透過又は反射するビームスプリッタ２１ａ〜２１ｃと、特定の波長の光のみを透過する光学フィルタ２３ａ〜２３ｃとを有する。また、波長分離部１５は、光学フィルタ２３ａ〜２３ｃを透過した光をそれぞれ光検出器１６の受光部１６ａ〜１６ｃに集光する集光レンズ２４ａ〜２４ｃを有する。
【００２５】
波長分離部１５に入射した光は、ビームスプリッタ２１ａ〜２１ｃ及び光学フィルタ２３ａ〜２３ｃによりレイリー散乱光、ストークス光及び反ストークス光に分離され、光検出器１６の受光部１６ａ〜１６ｃに入力される。その結果、受光部１６ａ〜１６ｃからはレイリー散乱光、ストークス光及び反ストークス光の強度に応じた信号が出力される。
【００２６】
図３は、横軸に時間をとり、縦軸に信号強度をとって、ラマン散乱光の強度の時系列分布の一例を示す図である。光ファイバ１４にレーザパルスを入射した直後から一定の間、光検出器１６にはストークス光及び反ストークス光が検出される。光ファイバ１４の全長にわたって温度が均一の場合、レーザパルスが光ファイバ１４に入射した時点を基準とすると、信号強度は時間の経過とともに減少する。この場合、横軸の時間は光ファイバ１４の光源側端部から後方散乱が発生した位置までの距離を示しており、信号強度の経時的な減少は光ファイバ１４による光の減衰を示している。
【００２７】
光ファイバ１４の長さ方向にわたって温度が均一でない場合、例えば長さ方向に沿って高温部及び低温部が存在する場合は、ストークス光及び反ストークス光の信号強度は一様に減衰するのではなく、図３に示すように信号強度の経時変化を示す曲線に山及び谷が現れる。図３において、ある時間ｔにおける反ストークス光の強度をＩ1、ストークス光の強度をＩ2とする。
【００２８】
図４は、図３のラマン散乱光の強度の時系列分布を基にＩ1／Ｉ2比を時間毎に計算し、且つ図３の横軸（時間）を距離に換算し、縦軸（信号強度）を温度に換算した結果を示す図である。この図４に示すように、反ストークス光とストークス光との強度比（Ｉ1／Ｉ2）を計算することにより、光ファイバの長さ方向における温度分布を測定することができる。
【００２９】
演算部１７は、コンピュータを含んで構成される。この演算部１７は、光検出器１６から出力される信号に基づいて、光ファイバ１４の敷設経路に沿った温度分布を演算する。
【００３０】
ところで、光ファイバによる温度測定では、空間分解能が低いため、近接した測定ポイントの温度を精度よく測定することは困難であるとされていた。しかし、本願発明者らは、特定の測定ポイントの温度を基準にし、伝達関数を用いてその他の測定ポイントの温度測定値を補正する温度測定方法を提案した（特許文献１，２等）。この方法によれば、光ファイバの長さ方向に沿って１０ｃｍ〜数１０ｃｍの間隔で設定された測定ポイントの温度を精度よく検出することができる。
【００３１】
制御装置１９はコンピュータを含んで構成され、温度分布測定装置１０から出力される温度分布のデータに基づいて、後述するように空気の流れを可視化する。
【００３２】
（温度分布の画像表示）
本実施形態では、温度分布測定装置１０を使用して光ファイバ１４の長さ方向の温度分布を測定する。そして、その結果を制御装置１９により信号処理して、サーモグラフィのようなカラー画像を作成し、ディスプレイ(図示せず）等の表示装置に表示する。
【００３３】
例えば、図５に模式的に示すように、制御装置１９は、予め設定された温度範囲を６５５３６分割し、その温度範囲の下限値をグレースケールの輝度０に対応させ、上限値をグレースケールの輝度６５５３６に対応させる。これにより、温度と輝度とが対応し、グレースケールによる温度分布の画像化が可能になる。本実施形態では、グレースケールの各階調に、図５のように赤（Ｒ），緑（Ｇ），青（Ｂ）の各階調を対応させることにより、サーモグラフィのようなカラー画像を作成する。
【００３４】
（光ファイバの敷設例）
図６は、光ファイバ１４の敷設例を示す図である。図中の白点は、温度分布測定装置１０により光ファイバ１４の長さ方向に沿って一定の間隔で設定された測定ポイントを示している。
【００３５】
本実施形態では、例えば図６に例示したように、測定領域に、１本の光ファイバ１４を一定の間隔で折り返すよう敷設する。折り返し間隔（図６中の距離Ｙ１）は、例えば５０ｃｍとする。この場合、距離応答性の制約から、温度の測定空間周波数のサンプリング周期は１ｍとなる。すなわち、光ファイバ１４を図６のように５０ｃｍ間隔で平行に敷設することで、１ｍよりも大きいとみなすことができる「孤立波」的な「ある温度を中心とするかたまり」の形状を、おおよそ決定することが可能になる。
【００３６】
温度分布測定装置１０では、光ファイバ１４の長さ方向に沿って一定の間隔で設定された各測定ポイントの温度が検出される。これらの測定ポイントを三角形の頂点として測定領域をドロネー三角形分割し、三角形内の任意の位置の温度を線形補間により求めることができる。このようにして、測定領域の２次元温度分布の測定が可能になる。
【００３７】
（流れ可視化方法）
本実施形態では、空調設備が設置された施設内の空気の流れを可視化し、空調設備を効率的に運転することを目的としている。そこで、本実施形態では、空調機の吹き出し口又はその近傍を起点（吹き出し源）として、起点からの冷気（周囲と異なる温度の空気）の流れを可視化する。空調機の吹き出し口から吹き出した冷気は、起点から圧力の低いほうに移動する。
【００３８】
図７は、本実施形態に係る流れ可視化システムの動作を示すフローチャートである。また、図８〜図１２は、流れ可視化方法の概要を説明する図である。
【００３９】
まず、ステップＳ１１において、制御装置１９は、光ファイバ温度分布装置１０から出力される信号から測定領域の２次元温度分布図を作成する。
【００４０】
図８は、制御装置１９により作成される測定領域の２次元温度分布図を簡略化して示した図（等温線図）である。図８に示す例では、測定領域の右上から左下にかけて、低温の領域が存在している。
【００４１】
次に、ステップＳ１２に移行し、制御装置１９は、作成した２次元温度分布図上に、吹き出し源と評価円Ａ１とを設定する。
【００４２】
図９は、２次元温度分布図上に吹き出し源と評価円Ａ１とを設定した状態を示す図である。図９中に＋で示した位置が、吹き出し源の位置である。本実施形態では、吹き出し源の位置（Ｘ，Ｙ座標）は既知であるとする。
【００４３】
評価円Ａ１は、図１０に示すように、吹き出し源の位置を中心点Ｏ１とした円である。評価円Ａ１の半径は、サンプリング周期以上とする。ここでは、評価円Ａ１の半径が１ｍに設定されているものとする。
【００４４】
次に、ステップＳ１３に移行し、制御装置１９は、評価円Ａ１の温度を計算する。本実施形態では、図１０中に破線に示すように、中心点の位置が評価円Ａ１と同じであり、評価円Ａ１よりも半径が小さい円Ｂ１を設定する。そして、この円Ｂ１内に所定数の測温点を設定し、それらの測温点の温度の平均値を評価円Ａ１の温度とする。各測温点の温度は、温度分布測定装置１０により得られる各測定ポイントの温度と、前述したドロネー三角形分割及び線形補間とを用いて、演算により求める。
【００４５】
次に、ステップＳ１４に移行し、制御装置１９は、評価円Ａ１内に、評価円Ａ１の中心点Ｏ１を頂点（中心）とし、円周を弧とする扇形Ｃを設定する。そして、扇形Ｃを中心点Ｏ１の周りに所定の角度ずつ（例えば５°〜３０°ずつ）移動させて、各位置で扇形Ｃの温度を演算する。
【００４６】
本実施形態では、扇形Ｃの中心角θを６０°とする。また、本実施形態では、扇形Ｃと円Ｂ１との重なり部分に所定数の測温点を設定し、それらの測温点の温度の平均値を、扇形Ｃの温度とする。
【００４７】
次に、ステップＳ１５に移行し、制御装置１９は、ステップＳ１４で設定した各扇形Ｃのうちから、評価円Ａ１との温度差が所定範囲内であり、且つ周囲の扇形の温度よりも評価円Ａ１の温度に近い扇形Ｃを抽出する。
【００４８】
なお、ステップＳ１５では、２以上の扇形Ｃが抽出されることもある。扇形Ｃが２以上抽出された場合、空気の流れ方向が分岐していることを意味する。
【００４９】
次に、ステップＳ１６に移行し、制御装置１９は、図１０に示すように抽出した扇形Ｃの中心線Ｄ１を、流れ方向に設定する。
【００５０】
次に、ステップＳ１７に移行し、図１１に示すように、制御装置１９は、抽出した扇形Ｃの中心線Ｄ１と評価円Ａ１の円周との交点を中心点Ｏ２として、評価円Ａ２を設定する。評価円Ａ２の半径は評価円Ａ１と同じである。
【００５１】
次に、ステップＳ１８に移行し、制御装置１９は、評価円Ａ２の温度を設定する。ここでは、ステップＳ１５で抽出した扇形Ｃの温度を、評価円Ａ２の温度とする。ステップＳ１３と同様の方法により、評価円Ａ２の温度を計算により求めてもよい。
【００５２】
次に、ステップＳ１９に移行し、制御装置１９は、評価円Ａ２内に扇形Ｃを設定する。そして、扇形Ｃを中心点Ｏ２の周りに所定の角度ずつ移動させて、各位置で扇形Ｃの温度を演算する。本実施形態では、評価円Ａ２よりも半径が小さい円Ｂ２を設定し、扇形Ｃと円Ｂ２との重なり部分に所定数の測温点を設定して、それらの測温点の温度の平均値を、扇形Ｃの温度とする。
【００５３】
次に、ステップＳ２０に移行し、制御装置１９は、評価円Ａ２との温度差が所定範囲内であり、且つ周囲の扇形の温度よりも評価円Ａ２の温度に近い扇形Ｃを抽出する。この場合、後戻りを回避するために、ステップＳ１５で設定した流れ方向Ｄ１の角度を０°としたときに、±９０°の範囲を扇形Ｃの設定範囲とする。ここでも、２以上の扇形Ｃが抽出されることがある。扇形Ｃが２以上抽出された場合、空気の流れ方向が分岐していることを意味する。
【００５４】
次に、ステップＳ２１に移行し、制御装置１９は、ステップＳ２０で条件に合致する扇形Ｃが抽出できたか否かを判定する。そして、抽出できないと判定した場合（ＮＯの場合）は、処理を終了する。一方、条件に合致する扇形Ｃが抽出できたと判定した場合（ＹＥＳの場合）は、ステップＳ２２に移行する。
【００５５】
ステップＳ２２において、制御装置１９は、図１１に示すように抽出した扇形の中心線Ｄ２を流れ方向とする。その後、ステップＳ１７に戻り、上述した処理を繰り返す。但し、ステップＳ１７では、既に設定されている評価円Ａ２、円Ｂ２、中心線Ｄ２をそれぞれ評価円Ａ１、円Ｂ１、中心線Ｄ１として、新たに評価円Ａ２、円Ｂ２、中心線Ｄ２を設定する。
【００５６】
このようにして、起点から扇形Ｃの中心線を連続的に並べることで、空気の流れを追跡できる。図１２に、上述した方法により可視化した空気の流れの例を示す。
【００５７】
なお、ここでは２次元空間における空気の可視化について説明したが、３次元空間における空気の流れの可視化も可能である。３次元空間における空気の流れを可視化する場合は、光ファイバ１４を立体的に敷設するとともに、ドロネー三角形分割をドロネー四面体分割に変更し、評価円を評価球に変更し、扇形を錐体（例えば円錐又は四角錘等）に変更して錐体の中心線を追跡すればよい。
【００５８】
評価円又は評価球に替えて、楕円又は楕円体を使用してもよい。評価円及び楕円は閉じた評価境界線の一例であり、評価球又は楕円体は閉じた評価境界面の一例である。また、扇型又は錐体は、所定の平面角又は所定の立体角を備えた領域の一例である。
【００５９】
更に、上述した実施形態では冷気の流れの分岐を考慮し、ステップＳ１５及びステップＳ２０で複数の扇形を抽出可能としている。しかし、主要な冷気の流れのみを可視化すればよい場合は、評価円の温度に最も近い扇形を１つだけ抽出するようにすればよい。
【００６０】
（データセンターにおける空調制御）
以下、本実施形態に係る流れ方向表示装置を、データセンターの計算機室の空調制御に使用した例について説明する。
【００６１】
図１３は、計算機室を示す図である。図１３に示す例では、計算機室内の右側に２台の空調機３１ａ，３１ｂが配置されており、室内の左側に配置されたサーバラック３２ａ，３２ｂの吸気面側に空調機３１ｂから冷風を供給する。サーバラック３２ａ，３２ｂは吸気面を相互に対向させて配置されており、サーバラック３２ａ，３２ｂ間の領域３３に空調機３１ｂから冷気を供給することが要求される。
【００６２】
ここでは、温度分布測定装置１０及び制御装置１９により、図１３中に破線で囲んだ領域の２次元温度分布図が作成されるものとする。
【００６３】
光ファイバは床上約２．２ｍの位置に図６のように敷設した。光ファイバ１４の折り返し間隔は０．５ｍとした。また、空調機３１ａ，３１ｂは床上約１．８ｍの位置に冷気の吹き出し口があり、遠方のサーバラックも十分冷却できる程度に斜め上方に向けて冷気を吹き出すようにした。
【００６４】
図１４は、横軸に光ファイバ１４の長さ方向の距離をとり、縦軸に温度をとって、温度分布測定装置１０により測定された光ファイバ１４の長さ方向の温度分布の例を示す図である。また、図１５は、温度分布測定装置１０及び制御装置１９により作成された２次元温度分布図である。
【００６５】
図１６は、図１５を基に、前述した方法により流れ方向を可視化した図である。図１６中の矢印付き太線は、空調機３１ｂから吹き出した冷気の流れを可視化したものである。また、図１６中の一点鎖線は、同じくその冷気の向かう方向を示している。更に、図１６中の破線は、サーバラック３２ａ，３２ｂ内の計算機を最も効率的に冷却できる冷気の方向、すなわち目標方向を示している。
【００６６】
図１６から、空調機３１ｂから吹き出した冷気は壁に沿って進み、サーバラック３２ｂの排気面側を通ることがわかる。この場合、空調機３１ｂから供給される冷気が目標の領域３３に到達する前にサーバラック３２ｂから排出される熱気により暖められてしまう。このため、空調機３１ｂから供給される冷気が有効に利用されず、空調機３１ｂでは電力を無駄に消費することになる。
【００６７】
図１６から、図１６中に一点鎖線で示す冷気の進む方向と図１６中に破線で示す目標方向とは、１５°程度ずれていることがわかる。
【００６８】
図１７は、目標方向と冷気の進む方向とが一致するように空調機３１ｂのフィンを手動で調整した結果を示す図である。この図１７からわかるように、冷気の流れを可視化して空調機３１ｂのフィンを調整することにより、空調機３１ｂから供給される冷気をサーバラック３２ａ，３２ｂの吸気面側に効率的に移送できる。その結果、冷気の無駄な消費が回避され、空調機３１ｂの消費電力が削減される。
【００６９】
（自動制御の例）
上述の例では作業者が空調機のフィンを手動で調整しているが、制御装置１９により空調機のフィンを自動的に調整するようにしてもよい。
【００７０】
図１８は、制御装置１９による空調機のフィンの自動調整方法を示すフローチャートである。ここでは、制御装置１９内には計算機室内のレイアウト及び目標方向が設定されているものとする。
【００７１】
まず、ステップＳ３１において、制御装置１９は、前述の図７に示す方法により冷気の流れ方向を可視化する。
【００７２】
次に、ステップＳ３２に移行し、制御装置１９は、冷気の流れ方向と目標方向との差を演算する（図１６参照）。
【００７３】
次に、ステップＳ３３に移行し、制御装置１９は、冷気の流れ方向と目標方向との差が所定の範囲内か否かを判定する。そして、所定の範囲内であると判定した場合（ＹＥＳの場合）は、処理を終了する。
【００７４】
一方、ステップＳ３３で冷気の流れ方向と目標方向との差が所定の範囲内ではないと判定した場合（ＮＯの場合）は、ステップＳ３４に移行する。そして、ステップＳ３４において、制御部１９は冷気の流れ方向と目標方向との差が最小となるように、制御装置１９のフィンの角度を調整する。その後、ステップＳ３１の戻り、上述した処理を再度実行する。
【００７５】
このようにして、空調機から吹き出す冷気の流れ方向と目標方向とを自動的に一致させることができる。これにより、空調機の消費電力が削減される。
【００７６】
（自動制御の変形例）
図１９は、データセンターの計算機室の一例を示す図である。この図１９に示す計算機室では、複数のサーバラック４１が列毎に直線上に並んで配置されている。そして、両側の壁に沿って複数の空調機４２が設置されている。
【００７７】
サーバラック４１内の計算機の稼働率が低い場合、全ての空調機４２を一律に稼働させるのではなく、空調機４２を輪番で停止することにより、空調設備で消費する電力をより一層削減できる。この場合、例えば図１９に示すように１台の空調機４２が相互に離隔した複数の領域に冷気を供給することが要求される。
【００７８】
ここでは、図１９中に網掛けを施した１台の空調機４２により、３つの領域４３ａ，４３ｂ，４３ｃに、冷気を順番に供給する場合について説明する。但し、空調機４２には、制御装置１９（図１参照）から出力される信号により角度調整が可能なフィンが設けられているものとする。また、サーバラック４１内に収納された計算機には、計算機の温度（ＣＰＵ）を検出するセンサが設けられており、それらのセンサから出力される信号は制御装置１９に与えられるものとする。
【００７９】
制御装置１９は、目標方向を、領域４３ａに向かう方向、領域４３ｂに向かう方向、及び領域４３ｃに向かう方向に順番に変えて、各領域４３ａ〜４３ｃに順番に冷気を供給する。この場合、制御装置１９は、前述のセンサによりサーバラック４１内に収納された計算機のＣＰＵ温度を検出し、ＣＰＵ温度が予め設定された設定温度を超えないように、各領域４３ａ〜４３ｃに冷気を供給する時間を決定する。
【００８０】
このようにして、空調機４２を輪番で停止することにより、空調設備で消費する電力をより一層削減できる。また、空調機４２の輪番停止台数を適切に管理できる。
【００８１】
（その他の実施形態）
上述した実施形態では、空調機からサーバラックの上方に吹き出した冷気の流れを可視化する場合について説明したが、例えば空気の吸い込み口（レタン：return）を起点とし、空気の流れを逆方向から追跡して、空気の流れを可視化してもよい。複数の空気の吸い込み口が天井面に設置されている場合、各吸い込み口を起点として空気の流れを可視化することにより、各吸い込み口がどの程度有効に機能しているのかを知ることができる。
【００８２】
また、例えば床下からグリル（通風口）を介して室内に冷風が吹き出す構造の計算機室の場合、グリルを起点として冷気の流れを可視化することも可能である。
【００８３】
更に、上述の実施形態では空気の流れを可視化する場合について説明したが、開示の技術は温度差があるという条件を満足すれば、空気以外の流体（気体及び液体）の流れの可視化に適用できる。
【００８４】
以上の諸実施形態に関し、更に以下の付記を開示する。
【００８５】
（付記１）測定領域に敷設された光ファイバと、
前記光ファイバに接続されて前記光ファイバの長さ方向の温度分布を測定し温度分布のデータを出力する温度分布測定装置と、
前記温度分布のデータに基づき、前記測定領域内の流体の流れを可視化する制御装置と
を有することを特徴とする流れ可視化システム。
【００８６】
（付記２）前記制御装置は、前記温度分布のデータから前記測定領域の２次元又は３次元温度分布図を作成し、該温度分布図に前記流体の流れの起点を設定して、前記起点から前記温度分布図を基に前記流体の流れを追跡することを特徴とする付記１に記載の流れ可視化システム。
【００８７】
（付記３）前記制御装置は、
前記起点を中心点とする閉じた評価境界線又は閉じた評価境界面を設定し、
前記温度分布図を基に前記評価境界線の内側又は評価境界面の内側の温度を設定し、
前記評価境界線の内側又は評価境界面の内側に前記中心点を頂点とする所定の平面角又は所定の立体角を備えた複数の領域を設定し、
前記温度分布図を基に前記複数の領域の温度を設定し、
前記複数の領域のうちから前記評価境界線の内側又は前記評価境界面の内側の温度に近い温度の領域を抽出して、抽出した領域の中心から当該領域内を通過するように設定した中心線の方向を前記流体の流れ方向とすることを特徴とする付記２に記載の流れ可視化システム。
【００８８】
（付記４）前記制御装置は、
前記評価境界線上又は前記評価境界面上と、前記中心線との交点を新中心点として閉じた新評価境界線又は閉じた新評価境界面を設定し、
前記温度分布図を基に前記新評価境界線の内側又は新評価境界面の内側の温度を設定し、
前記新評価境界線の内側又は新評価境界面の内側に前記新中心点を頂点とする所定の平面角又は所定の立体角を備えた複数の新領域を設定し、
前記温度分布図を基に前記新領域の温度を設定し、
前記複数の新領域のうちから前記新評価境界線の内側又は新評価境界面の内側の温度に近い新領域を抽出して、抽出した新領域の中心から当該領域内を通過するように設定した中心線の方向を前記流体の流れ方向に追加し前記流体の流れを追跡することを特徴とする付記３に記載の流れ可視化システム。
【００８９】
（付記５）前記閉じた評価境界線又は前記閉じた評価境界面は、前記光ファイバの敷設状態により決定されるサンプリング周期以上の半径の円又は球であることを特徴とする付記３又は４に記載の流れ可視化システム。
【００９０】
（付記６）光ファイバが接続された温度分布測定装置により、前記光ファイバが敷設された測定領域の温度分布のデータを取得する工程と、
制御装置により、前記温度分布のデータを基に前記測定領域内の空気の流れを可視化する工程と、
前記制御装置により可視化された空気の流れに基づいて空調機を調整する工程と
を有することを特徴とする空調方法。
【００９１】
（付記７）前記制御装置は、前記温度分布のデータから前記測定領域の２次元又は３次元温度分布図を作成し、
前記温度分布図に前記流体の流れの起点を設定して、前記起点から前記温度分布図を基に前記流体の流れを追跡することを特徴とする付記６に記載の空調方法。
【００９２】
（付記８）前記制御装置は、
前記起点を中心点とする閉じた評価境界線又は閉じた評価境界面を設定し、
前記温度分布図を基に前記評価境界線の内側又は評価境界面の内側の温度を設定し、
前記評価境界線の内側又は評価境界面の内側に前記中心点を頂点とする所定の平面角又は所定の立体角を備えた複数の領域を設定し、
前記温度分布図を基に前記複数の領域の温度を設定し、
前記複数の領域のうちから前記評価境界線の内側又は前記評価境界面の内側の温度に近い温度の領域を抽出して、抽出した領域の中心から当該領域内を通過するように設定した中心線の方向を前記流体の流れ方向とすることを特徴とする付記７に記載の空調方法。
【００９３】
（付記９）前記制御装置は、
前記評価境界線上又は前記評価境界面上と、前記中心線との交点を新中心点として閉じた新評価境界線又は閉じた新評価境界面を設定し、
前記温度分布図を基に前記新評価境界線の内側又は新評価境界面の内側の温度を設定し、
前記新評価境界線の内側又は新評価境界面の内側に前記新中心点を頂点とする所定の平面角又は所定の立体角を備えた複数の新領域を設定し、
前記温度分布図を基に前記新領域の温度を設定し、
前記複数の新領域のうちから前記新評価境界線の内側又は新評価境界面の内側の温度に近い新領域を抽出して、抽出した新領域の中心から当該領域内を通過するように設定した中心線の方向を前記流体の流れ方向に追加し前記流体の流れを追跡することを特徴とする付記８に記載の空調方法。
【００９４】
（付記１０）前記制御装置は、前記制御装置により可視化された空気の流れの方向と目標方向との差が設定値よりも小さくなるように、前記空調機を調整することを特徴とする付記６乃至９のいずれか１項に記載の空調方法。
【符号の説明】
【００９５】
１０…温度分布測定装置、１１…レーザ光源、１２ａ，１２ｂ…レンズ、１３…ビームスプリッタ、１４…光ファイバ、１５…波長分離部、１６…光検出器、１７…演算部、１９…制御装置、２１ａ〜２１ｃ…ビームスプリッタ、２３ａ〜２３ｃ…光学フィルタ、２４ａ〜２４ｃ…集光レンズ、３１ａ，３１ｂ，４２…空調機、３２ａ，３２ｂ，４１…サーバラック、３３，４３ａ〜４３ｃ…領域。
【図１】
2014066495.tif 000003
【図２】
2014066495.tif 000004
【図３】
2014066495.tif 000005
【図４】
2014066495.tif 000006
【図５】
2014066495.tif 000007
【図６】
2014066495.tif 000008
【図７】
2014066495.tif 000009
【図８】
2014066495.tif 000010
【図９】
2014066495.tif 000011
【図１０】
2014066495.tif 000012
【図１１】
2014066495.tif 000013
【図１２】
2014066495.tif 000014
【図１３】
2014066495.tif 000015
【図１４】
2014066495.tif 000016
【図１５】
2014066495.tif 000017
【図１６】
2014066495.tif 000018
【図１７】
2014066495.tif 000019
【図１８】
2014066495.tif 000020
【図１９】
2014066495.tif 000021